(57)【特許請求の範囲】
【請求項１】
イカ釣り漁船に設置される集魚装置において、
基盤と、
前記基盤に設置される複数のＬＥＤと、
前記ＬＥＤ及び前記基盤を被覆する防水層と、
両端が前記漁船の幅方向両外側にそれぞれ固定されると共に、前記漁船の底側の海中に延在する繰り出し線と、を備え、
前記繰り出し線の中央近傍に、前記ＬＥＤ及び前記防水層が配置される
ことを特徴とするイカ釣り漁船用集魚装置。
【請求項２】
イカ釣り漁船に設置される集魚装置において、
基盤と、
前記基盤に設置される複数のＬＥＤと、
前記ＬＥＤ及び前記基盤を被覆する防水層と、
前記漁船の船体外壁に固定される移動レールと、
前記移動レールに案内される移動体と、を備え、
前記移動体に前記ＬＥＤ及び前記防水層が配置される
ことを特徴とするイカ釣り漁船用集魚装置。
【請求項３】
前記移動レールは、前記船体外壁において漁船進行方向に沿って配設されている
ことを特徴とする請求項２に記載のイカ釣り漁船用集魚装置。
【請求項４】
前記移動レールは、前記船体外壁において漁船幅方向に沿って配設されている
ことを特徴とする請求項２に記載のイカ釣り漁船用集魚装置。
【請求項５】
前記防水層が、前記ＬＥＤにおける光放出面に直接接触している
ことを特徴とする請求項１〜４のいずれか１項に記載のイカ釣り漁船用集魚装置。
【請求項６】
複数の前記ＬＥＤが互いに異なる角度で設置されることで、前記ＬＥＤの光が放射状に放出される
ことを特徴とする請求項１〜５のいずれか１項に記載のイカ釣り漁船用集魚装置。
【請求項７】
複数の前記基盤によって断面多角形の照明筒が構成されており、
前記照明筒から外側に光が放出されるように、前記照明筒の外周側に前記ＬＥＤが配置されている
ことを特徴とする請求項１〜６のいずれか１項に記載のイカ釣り漁船用集魚装置。
【発明の詳細な説明】
【技術分野】
【０００１】
本発明は、イカ釣り漁に用いられ、照明によってイカを集魚させるイカ釣り漁船用の集魚装置に関するものである。
【背景技術】
【０００２】
従来、イカ釣り漁では、漁船に数多くの照明を搭載し、この照明により海面を照らすことで水中のイカを集めるようにしている。この照明にはメタルハライドランプが用いられることが多い。このメタルハライドランプは、ナトリウムやスズなどの金属ハロゲン化物を混入した水銀ランプであり、高輝度の光が得られるが、その反面、消費電力も大きい。例えば、イカ釣り漁船１隻あたり１８０ｋＷ相当のメタルハライドランプが搭載されることもある。照明用の電力は船上の発電機によってまかなわれており、漁船の燃料消費量の約３分の２は照明によって消費されているといわれている。
【０００３】
そこで、照明の消費電力を低減させる方法として、照明をメタルハライドランプからＬＥＤに切り替えることが検討されている。例えば、船上にＬＥＤ照明を搭載し、このＬＥＤ照明で海面を照らすことでイカを集めるようにする。このようにすることで消費電力が低減されると共に、ＬＥＤが長寿命であることからメンテナンス頻度が少なくて済み、操業コストを抑制することが可能になる。
【特許文献１】特開２００５−１９８６３９号公報
【発明の開示】
【発明が解決しようとする課題】
【０００４】
しかしながら、ＬＥＤ照明を用いて船上から海面を照らす場合、海面自体の光反射作用によって、光の大半が反射してしまい、イカが存在する水深５０ｍ〜３００ｍに十分な光を到達させるのが難しいという問題があった。
【０００５】
又、従来のメタルハライドランプと同等の光を実現するには、かなりの数のＬＥＤに高電圧を印加して、ＬＥＤから高輝度の光を放出させる必要がある為、ＬＥＤが高熱にさらされ易いという問題があった。特に、多数のＬＥＤをケースに収納して照明に用いる場合は、隣接するＬＥＤ同士の発熱が相互に影響を及ぼしあい、更にケース内に熱がこもる為、ＬＥＤの寿命が短くなってしまという問題があった。従って、本発明者の研究によると、従来のＬＥＤを用いた集魚手法では、ＬＥＤの本来的な能力が十分に発揮されていないことが考えられた。
【０００６】
本発明は上記問題点に鑑みてなされたものであり、イカ釣り漁において、ＬＥＤを用いて効果的にイカを集めることが可能なイカ釣り漁船用集魚装置を提供するものである。
【課題を解決するための手段】
【０００７】
上記目的は、以下に示される手段によって達成される。
【０００８】
（１）イカ釣り漁船に設置される集魚装置において、基盤と、前記基盤に設置される複数のＬＥＤと、前記ＬＥＤ及び前記基盤を被覆する防水層と、を備えることを特徴とするイカ釣り漁船用集魚装置。
【０００９】
（２）前記防水層が、前記ＬＥＤにおける光放出面に直接接触していることを特徴とする上記（１）記載のイカ釣り漁船用集魚装置。
【００１０】
（３）更に、前記ＬＥＤ及び前記防水層が水中に位置するように、前記基盤を水面に浮かせる浮き部材を備えることを特徴とする上記（１）又は（２）記載のイカ釣り漁船用集魚装置。
【００１１】
（４）複数の前記ＬＥＤが互いに異なる角度で設置されることで、前記ＬＥＤの光が放射状に放出されることを特徴とする上記（１）、（２）又は（３）記載のイカ釣り漁船用集魚装置。
【００１２】
（５）複数の前記基盤によって断面多角形の照明筒が構成されており、前記照明筒から外側に光が放出されるように、前記照明筒の外周側に前記ＬＥＤが配置されていることを特徴とする上記（１）乃至（４）のいずれか記載のイカ釣り漁船用集魚装置。
【００１３】
（６）両端が前記漁船の幅方向両外側にそれぞれ固定されると共に、前記漁船の底側の海中に延在する繰り出し線を更に備え、前記繰り出し線の中央近傍に、前記ＬＥＤ及び前記防水層が配置されることを特徴とする上記（１）乃至（５）のいずれか記載のイカ釣り漁船用集魚装置。
【００１４】
（７）前記漁船の船体外壁に固定される移動レール、及び前記移動レールに案内される移動体を更に備え、前記移動体に前記ＬＥＤ及び前記防水層が配置されることを特徴とする上記（１）乃至（５）のいずれか記載のイカ釣り漁船用集魚装置。
【００１５】
（８）前記移動レールは、前記船体外壁において漁船進行方向に沿って配設されていることを特徴とする上記（７）記載のイカ釣り漁船用集魚装置。
【００１６】
（９）前記移動レールは、前記船体外壁において漁船幅方向に沿って配設されていることを特徴とする上記（７）記載のイカ釣り漁船用集魚装置。
【発明の効果】
【００１７】
本発明によれば、ＬＥＤの光を利用してイカを効果的に集めつつも、消費電力が大幅に低減でき、且つメンテナンスの手間を軽減させる事が可能となる。
【発明を実施するための最良の形態】
【００１８】
以下、図面を参照しながら本発明の実施の形態の例について詳細に説明する。
【００１９】
図１には、本発明の第１実施形態に係るイカ釣り漁船用集魚装置（以下、集魚装置）１が示されている。この集魚装置１は、イカ釣り漁船１００の周囲の海面に片側３台ずつ、合計６台配置されている。各集魚装置１に対する電力の供給は、漁船１００の船上に設置される発電機１０２から防水配線１０４を介して行われる。漁船１００と各集魚装置１は、２本のワイヤ１０６によって連結されており、集魚装置１が漁船１００から離れないようになっている。
【００２０】
図２に示されるように、この集魚装置１は、浮き部材１０、配電用の基盤２０、複数のＬＥＤ３０、防水層４０を備えている。浮き部材１０は、軽量素材１２をプラスチック等の筐体１４で覆ったものであり、海面に浮くことができるようになっている。なお、軽量素材１２は、例えば発泡スチロールのように、海水に対して比重が大幅に小さいものを用いるようにし、十分な浮力を得られるようにする。一方、筐体１４は、浮き部材１０の強度を確保するものであり、波の衝撃を受けたり、船体と衝突したりしても浮き部材１０が破損しないようになっている。なお、この浮き部材１０には、リング１６が固定されており、このリング１６にワイヤ１０６を固定することで、漁船１００と連結される。更に、この浮き部材１０には配線孔１８が形成されており、この配線孔１８に防水配線１０４を挿入する事で、防水配線１０の先端が基盤２０に接続される。
【００２１】
図３はこの集魚装置１の部分拡大図である。基盤２０は、ねじや接着剤によって浮き部材１０に固定される。なお、本実施形態では合計１０枚の基盤２０が浮き部材１０に固定されている。各基盤２０には３００個のＬＥＤ３０が設置されており、基盤２０を介してＬＥＤ３０に電気を供給する事でＬＥＤ３０が光を放つ。１台の集魚装置１には合計３０００個のＬＥＤ３０を備えることになるので、漁船１００全体で考えると、合計１８０００個のＬＥＤ３０が配備されるようになる。
【００２２】
また、本実施形態ではＬＥＤ３０の種類として角型タイプが用いられている。角型タイプのＬＥＤ３０は、発光素子３２に対して光透過性の角型レンズ３４が配置された構造であり、この角型レンズ３４の表面が光放出面３４Ａとなる。なお、ここでは角型タイプを用いたが、丸型（砲弾型）レンズを有する砲弾型ＬＥＤや、チップ型ＬＥＤを用いても良い。防水作業の利便性を考えると、比較的小型化されているチップ型ＬＥＤを採用することも望ましい。
【００２３】
防水層４０は、基盤２０及びＬＥＤ３０の外表面を覆うようになっている。この防水層４０は、基盤２０やＬＥＤ３０側に海水が進入しないようにするためであり、この結果、基板２０やＬＥＤ３０における電気ショートや、基盤２０の錆び等を回避できる。防水層４０を形成するには、基盤２０及びＬＥＤ３０が浮き部材１０に実装された状態で、この外表面全体にペースト状又は液状のコーキング材を塗布して硬化させる。この防水層４０はＬＥＤ３０の光放出面３４Ａに直接接触して表面を覆うことになる為、コーキング材としては光透過性の素材を用いるようにする。又更に、コーキング材としては熱伝導性の高いもの（例えば、熱伝導率（Ｗ／ｍ・Ｋ）が１．０以上、好ましくは２．０以上のもの）を採用することが望ましい。
【００２４】
この集魚装置１は、浮き部材１０の浮力によって全体が海面Ｋに安定浮遊可能となっている。この浮遊状態において、基盤２０、ＬＥＤ３０、防水層４０は水中側に位置するようになっている。この結果、ＬＥＤ３０の光Ｌは、水中に対して直接的に放たれるので、海面による光反射や、波の水しぶきによる光拡散を防止することが可能となる。又、ＬＥＤ３０の光Ｌは指向性が強いため、水中で発光させると、海底側に一層深くまで到達する。従って、水深３０メートルから３００メートル程度の領域に存在するイカを効率的に集めることが可能になる。又、水中を直接照らすことで光の利用効率が高まるので、ＬＥＤ３０の数を少なくする事が可能となり、消費電力を低減する事ができる。例えば、本第１実施形態では、１台の集魚装置１（ＬＥＤ３０の個数が３０００）の消費電力が約２００Ｗで済むため、漁船１００で１２００Ｗとなる。甲板の作業用照明として別途ＬＥＤを設置したとしても、合計３ｋＷ程度で済むため、従来と比較して大幅に消費電力を低減できる。
【００２５】
又、この集魚装置１によれば、防水層４０がＬＥＤ３０の光放出面３４Ａに直接接触しているので、ＬＥＤ３０の熱が、この光放出面３４Ａ及び防水層４０を介して海水側に放出される。即ち、海水によってＬＥＤ３０が冷却される。特に、数百個のＬＥＤ３０を集中的に配列して、同時に発光させる場合、隣接するＬＥＤ３０の熱が相互に影響を及ぼすため、周囲の雰囲気が通常よりも高温になり易い。そこで本集魚装置１のように、水中側にＬＥＤ３０を沈める事でＬＥＤ３０を冷却すれば、自身の発熱の影響を低減でき、ＬＥＤ３０の光の輝度を長期間に亘って維持することが出来る。
【００２６】
図４には、本発明の第２実施形態に係る集魚装置５０が示されている。この集魚装置５０は、浮き部材５２に対して複数の基盤５４が、角度が異なるように配置されているこの結果、基盤５４上の複数のＬＥＤ（図示省略）の設置角度が互いに異なるので、各ＬＥＤの光Ｌが水中側（海底側）に放射状に放たれる。このようにすると、ＬＥＤの光Ｌが海水中に広がるので、広範囲に亘ってイカを集める事が可能となる。なお、他の構成等については、第１実施形態と略同様の構成であるので、具体的な説明は省略する。
【００２７】
図５には、本発明の第３実施形態に係る集魚装置６０が示されている。この集魚装置６０は、六角形の筒状フレーム部材６２の外周面に沿って基盤６４が設置されている。なお、この筒状フレーム６２の上面及び／又は底面は開放状態となっており、海水が筒状フレーム６２内を上下方向に自由に通過できる。即ち、複数の基盤６４によって、断面が六角形となる照明筒が構成される。また、各基盤６４には、この照明筒から外側に向かって放射状に光Ｌが放たれるようにＬＥＤ６６が設置される。この集魚装置６０は、筒状フレーム６２の上面側に設置されるワイヤ６８によって、海面から水深数十メートル〜数百メートル程度まで沈めることが可能であり、イカが泳いでいる水深領域で光Ｌを直接放つことができる。また、集魚装置６０の沈める深さを調整する事によって、イカが存在する深度にＬＥＤ６６の光を合わせる事もできるようになる。
【００２８】
図６には、本発明の第４実施形態に係る集魚装置７０が示されている。この集魚装置７０は、第３実施形態に係る集魚装置６０を漁船１００に設置する構造を具体化したものである。従って、六角形の筒状フレーム部材６２の外周面に沿って基盤６４が設置された構造となっている。特に図示しないが、基盤６４にはＬＥＤや防水層が配置されている。
【００２９】
この集魚装置７０は、漁船１００を進行方向正面から見た場合に、両端が漁船１００の幅方向両外の上縁にそれぞれ固定される繰り出し線７２を備える。この繰り出し線７２は、ワイヤ素材によって構成されており、漁船１００の底側海中に延在するようになっている。基盤６４等は、この繰り出し線７２の中央近傍にワイヤ６８を介して吊り下げられる。この集魚装置７０によれば、繰り出し線７２が船底側に位置するので、漁船１００から投入される釣り糸や魚網が絡み難い。また、ワイヤ６８や基盤６４等が、船底側に滞在できるので、同様に釣り糸等との絡みが回避できる。また基盤６４が、船底側の中央に位置することで、漁船１００の左右均等に光を放つことが可能になる。また、魚場までの移動中は繰り出し線７２の長さを短くしておくことで、基盤６４等を船体にできる限り近づけておけば、浅瀬の航海が可能になる。漁の最中は繰り出し線７２の長さを長くすることで、深海まで基盤６４を移動させることも可能となる。
【００３０】
図７及び図８には、本発明の第５実施形態に係る集魚装置８０が示されている。この集魚装置８０は、第３実施形態に係る集魚装置６０を漁船１００に設置する構造を具体化したものである。従って、六角形の筒状フレーム部材６２の外周面に沿って基盤６４が設置された構造となっている。特に図示しないが、基盤６４にはＬＥＤや防水層が配置されている。
【００３１】
この集魚装置８０は、漁船１００の船体外壁に固定される移動レール８２、及びこの移動レール８２に案内される移動体（滑車）８４を備える。移動レール８２は、船体外壁において漁船１００の幅方向（胴回り方向）に沿って配設されている。なお、特に図示しないが、この移動体８４は、牽引手段によって移動レール８２上を移動・停止自在になっており、適宜、好ましい位置に固定できるようになっている。基盤６４等は、この移動体８４にワイヤ６８を介して吊り下げられる。
【００３２】
この集魚装置８０によれば、移動体８４が船底側で移動できるので、漁船１００の両脇から海中に投入される釣り糸や魚網が絡みにくい。また、ワイヤ６８や基盤６４等についても、船底側に滞在できるので、同様に釣り糸等との絡みが回避でき、且つ、漁船１００の左右均等に光を放つことが可能になる。更に、図７に点線で示されているように、移動時には水面近傍にまで基盤６４等を持ち上げることが可能になり、基盤６４のメンテナンス等が容易になる。また、図８のように、移動レール８２、移動体８４、基盤６４等を進行方向に複数配置しても、互いの干渉を回避することが可能になる。なお、この移動レール８２としてワイヤを用いることも可能である。
【００３３】
図９には、本発明の第６実施形態に係る集魚装置９０が示されている。この集魚装置９０は、第３実施形態に係る集魚装置６０を漁船１００に設置する構造を具体化したものである。従って、六角形の筒状フレーム部材６２の外周面に沿って基盤６４が設置された構造となっている。特に図示しないが、基盤６４にはＬＥＤや防水層が配置されている。
【００３４】
この集魚装置９０は、漁船１００の船体外壁に固定される移動レール９２、及びこの移動レール９２に案内される移動体（滑車）９４を備える。移動レール９２は、船体外壁において漁船１００の進行方向に沿って配設されている。なお、特に図示しないが、この移動体９４は、牽引手段によって移動レール９２上を移動・停止自在になっており、適宜、好ましい位置に固定できるようになっている。基盤６４等は、この移動体９４にワイヤ６８を介して吊り下げられる。
【００３５】
この集魚装置９０によれば、移動体９４が船底側で移動できるので、漁船１００の両脇から海中に投入される釣り糸や魚網が絡みにくい。また、ワイヤ６８や基盤６４についても、船底側に滞在できるので、同様に釣り糸等との絡みが回避でき、且つ、漁船１００の左右均等に光を放つことが可能になる。更に、１つの移動レール９２に対して、複数の移動体９４や基盤６４を進行方向に配置することが可能になり、移動レール９２を有効活用することができる。また、移動レール９２が漁船１００の進行方向に沿って配置されるので、推進時の海水抵抗を小さくすることができる。なお、この移動レール９２としてワイヤを用いることも可能である。
【００３６】
以上、これらの実施形態では、各種集魚装置を漁船１００に搭載し、各集魚装置に３０００個のＬＥＤを配置する場合を示したが、本発明はそれに限定されるものではなく、ＬＥＤの数や集魚装置の台数は適宜設定すれば良い。又ＬＥＤの種類も本発明に限定されるものではなく、各種ＬＥＤを用いる事も可能である。なお、砲弾型ＬＥＤの場合は、砲弾型レンズの表面の全体を防水層で覆う必要は無く、砲弾型レンズの周囲から基盤側（即ち根元側）を覆うように防水層を形成するようにしても良い。このようにすると、レンズの突端側が露出されて海水に曝されるため、冷却効率を高める事が可能になる。
【００３７】
尚、本発明の集魚装置は、上記した実施の形態に限定されるものではなく、本発明の要旨を逸脱しない範囲内において種々変更を加え得ることは勿論である。
【産業上の利用可能性】
【００３８】
本発明のイカ釣り漁船用集魚装置によれば、ＬＥＤの光を効果的に利用すると共に、ＬＥＤの寿命を延ばすことが可能になる。
【図面の簡単な説明】
【００３９】
【図１】本発明の第１実施形態に係るイカ釣り漁船用集魚装置が漁船に配備されている状態を示す模式図
【図２】同集魚装置の構造を示す部分断面斜視図
【図３】同集魚装置の内部構造を示す拡大断面図
【図４】本発明の第２実施形態に係るイカ釣り漁船用集魚装置を示す斜視図
【図５】本発明の第３実施形態に係るイカ釣り漁船用集魚装置を示す斜視図
【図６】本発明の第４実施形態に係るイカ釣り漁船用集魚装置を示す正面図
【図７】本発明の第５実施形態に係るイカ釣り漁船用集魚装置を示す正面図
【図８】本発明の第５実施形態に係るイカ釣り漁船用集魚装置を示す側面図
【図９】本発明の第６実施形態に係るイカ釣り漁船用集魚装置を示す側面図
【符号の説明】
【００４０】
１、５０、６０、７０、８０、９０    ・・・    イカ釣り漁船用集魚装置
１０、５２        ・・・    浮き部材
２０、５４、６４    ・・・    基板
３０、６６        ・・・    ＬＥＤ
４０            ・・・    防水層
７２            ・・・    繰り出し線
８２、９２        ・・・    移動レール
８４、９４        ・・・    移動体
１００        ・・・    漁船
【図１】
0004781986.tif 000002
【図２】
0004781986.tif 000003
【図３】
0004781986.tif 000004
【図４】
0004781986.tif 000005
【図５】
0004781986.tif 000006
【図６】
0004781986.tif 000007
【図７】
0004781986.tif 000008
【図８】
0004781986.tif 000009
【図９】
0004781986.tif 000010